(57)【要約】【課題】新たな専用の通報装置の設置や新たな配線を行うことなく、センサによる警備情報の監視が可能な多機能電話機を用いた警備システムを提供する。【解決手段】多機能電話機１  ２０１〜Ｎ  ２０Ｎは、ファンクションボタンと並列接続したセンサにより検知した監視結果を、前記ファンクションボタンの操作状態の送信時と同一の動作で、電話交換装置１０に送信し、電話交換装置１０は、前記ファンクションボタンの操作状態の受信時と同一の動作で、当該電話交換装置１０に接続されている他の多機能電話機に対して、前記多機能電話機から受信した前記センサの監視結果を送信する。電話交換装置１０から他の多機能電話機の前記センサの監視結果を受信した多機能電話機は、電話交換装置１０から他の前記多機能電話機の前記センサと並列接続したファンクションボタンの操作状態を受信した場合と同一の動作で、受信した前記センサの監視結果を画面やランプに表示する。【選択図】図１
2008048323.tif 000002
【特許請求の範囲】
【請求項１】
特定の機能の実行を指示するためのファンクションボタンと警備用の情報を監視するセンサとを少なくとも備えた多機能電話機と、１ないし複数の前記多機能電話機と接続して、前記多機能電話機からの前記ファンクションボタンの操作状態の受信結果に基づく接続動作を行うとともに、当該ファンクションボタンの操作状態の受信結果を他の多機能電話機へ送信する動作を行い、かつ、前記多機能電話機からの前記センサの監視結果の受信結果に基づく通報動作を行う電話交換装置とからなる警備システムであって、前記多機能電話機は、前記ファンクションボタンと前記センサとを並列接続して、前記センサの異常検知結果の前記電話交換装置への送信を、前記ファンクションボタンの操作状態の送信と同一の動作によって行い、前記多機能電話機からの前記センサの異常検知結果の通報を受信した前記電話交換装置は、前記多機能電話機からの前記ファンクションボタンの操作状態の受信時と同一の動作によって、当該電話交換装置に接続されている他の多機能電話機に対して、前記多機能電話機からの前記センサの異常検知結果を送信することを特徴とする警備システム。
【請求項２】
請求項１に記載の警備システムにおいて、前記電話交換装置から前記多機能電話機の前記センサの異常検知結果を受信した他の前記多機能電話機は、前記電話交換装置から前記多機能電話機の前記ファンクションボタンの操作状態を受信した場合と同一の動作によって、受信した前記センサの異常検知結果を画面またはランプによって表示することを特徴とする警備システム。
【請求項３】
請求項１または２に記載の警備システムにおいて、前記電話交換装置は、前記多機能電話機からの前記センサの異常検知結果の通報を受信した際に、前記多機能電話機からの前記ファンクションボタンの操作状態の受信時と同一の動作によって、当該電話交換装置と接続しているセンサ表示板の表示内容を、受信した前記センサの異常検知結果によって更新することを特徴とする警備システム。
【請求項４】
請求項１ないし３のいずれかに記載の警備システムにおいて、前記多機能電話機は、前記ファンクションボタンとして複数のボタンを備えている場合、複数の前記ファンクションボタンのうち、任意に選択した１ないし複数のファンクションボタンそれぞれに前記センサを並列接続して備えることを特徴とする警備システム。
【請求項５】
請求項４に記載の警備システムにおいて、前記多機能電話機は、前記センサを並列接続した１ないし複数の前記ファンクションボタンが、当該警備システムにおいては利用しないかあるいは利用頻度が少ないファンクションボタンであることを特徴とする警備システム。
【請求項６】
請求項１ないし５のいずれかに記載の警備システムにおいて、前記電話交換装置は、前記多機能電話機に備えられた前記センサが監視する対象とする警備種別を、任意に指定して、当該センサと並列接続した前記ファンクションボタンに対応付けて登録するファンクションボタン設定テーブルを備えていることを特徴とする警備システム。
【請求項７】
請求項６に記載の警備システムにおいて、前記電話交換装置に備えられる前記ファンクションボタン設定テーブルに、前記センサの警備種別を登録する他に、当該センサが異常状態を検知した際の警備用の表示方法および／または警備用の警備音出力方法を登録することを特徴とする警備システム。
【請求項８】
請求項１ないし７のいずれかに記載の警備システムにおいて、前記電話交換装置は、前記多機能電話機の前記センサの異常検知結果に応じた異常状態の発生を通報する通報用音声メッセージを作成して、あらかじめ設定されている外部の接続先に対して、作成した前記通報用音声メッセージを送信することを特徴とする警備システム。
【請求項９】
特定の機能の実行を指示するためのファンクションボタンに並列接続して警備用の情報を監視するセンサを少なくとも備えた１ないし複数の多機能電話機と接続して、前記多機能電話機からの前記ファンクションボタンの操作状態の受信結果に基づく接続動作を行うとともに、当該ファンクションボタンの操作状態の受信結果を他の多機能電話機へ送信する動作を行い、かつ、前記多機能電話機からの前記センサの監視結果の受信結果に基づく通報動作を行う電話交換装置であって、前記多機能電話機からの前記センサの異常検知結果の通報を受信した場合、前記多機能電話機からの前記ファンクションボタンの操作状態の受信時と同一の動作によって、当該電話交換装置に接続されている他の多機能電話機に対して、前記多機能電話機からの前記センサの異常検知結果を送信することを特徴とする電話交換装置。
【請求項１０】
請求項９に記載の電話交換装置において、前記多機能電話機からの前記センサの異常検知結果の通報を受信した際に、前記多機能電話機からの前記ファンクションボタンの操作状態の受信時と同一の動作によって、当該電話交換装置と接続しているセンサ表示板の表示内容を、受信した前記センサの異常検知結果によって更新することを特徴とする電話交換装置。
【請求項１１】
請求項９または１０に記載の電話交換装置において、前記多機能電話機が前記ファンクションボタンとして複数のボタンを備え、複数の前記ファンクションボタンのうち、任意に選択した１ないし複数のファンクションボタンそれぞれに並列接続して前記センサを複数備えている場合、前記多機能電話機からの前記センサの異常検知結果の通報を受信した際に、当該センサと並列接続した前記ファンクションボタンの受信時と同一の動作によって、受信した当該センサの異常検知結果を、当該電話交換装置に接続されている他の多機能電話機に対して送信することを特徴とする電話交換装置。
【請求項１２】
請求項９ないし１１のいずれかに記載の電話交換装置において、前記多機能電話機に備えられた前記センサが監視する対象とする警備種別を、任意に指定して、当該センサと並列接続した前記ファンクションボタンに対応付けて登録するファンクションボタン設定テーブルを備えていることを特徴とする電話交換装置。
【請求項１３】
請求項１２に記載の電話交換装置において、前記ファンクションボタン設定テーブルに、前記センサの警備種別を登録する他に、当該センサが異常状態を検知した際の警備用の表示方法および／または警備用の警備音出力方法を登録することを特徴とする電話交換装置。
【請求項１４】
請求項９ないし１３のいずれかに記載の電話交換装置において、前記多機能電話機の前記センサの異常検知結果に応じた異常状態の発生を通報する通報用音声メッセージを作成して、あらかじめ設定されている外部の接続先に対して、作成した前記通報用音声メッセージを送信することを特徴とする電話交換装置。
【請求項１５】
特定の機能の実行を指示するためのファンクションボタンと警備用の情報を監視するセンサとを少なくとも備え、前記ファンクションボタンの操作状態と前記センサの監視結果とを送信する送信先の電話交換装置と接続する多機能電話機において、前記ファンクションボタンと前記センサとを並列接続して、前記センサの異常検知結果の前記電話交換装置への送信を、前記ファンクションボタンの操作状態の送信と同一の動作によって行うことを特徴とする多機能電話機。
【請求項１６】
請求項１５に記載の多機能電話機において、前記電話交換装置から他の多機能電話機の前記センサの異常検知結果を受信した場合、前記電話交換装置から他の前記多機能電話機の前記ファンクションボタンの操作状態を受信した場合と同一の動作によって、受信した前記センサの異常検知結果を画面またはランプによって表示することを特徴とする多機能電話機。
【請求項１７】
請求項１５または１６に記載の多機能電話機において、前記ファンクションボタンとして複数のボタンを備えている場合、複数の前記ファンクションボタンのうち、任意に選択した１ないし複数のファンクションボタンそれぞれに前記センサを並列接続して備えることを特徴とする警備システム。
【請求項１８】
請求項１７に記載の多機能電話機において、前記センサを並列接続した１ないし複数の前記ファンクションボタンが、当該警備システムにおいては利用しないかあるいは利用頻度が少ないファンクションボタンであることを特徴とする多機能電話機。
【発明の詳細な説明】
【技術分野】
【０００１】
本発明は、警備システム、電話交換装置および多機能電話機に関し、特に、多機能電話機に備えられるファンクションボタンインタフェースを利用した警備情報の通報を可能とする警備システム、電話交換装置および多機能電話機に関する。
【背景技術】
【０００２】
近年、侵入者や出火などの異常事態を検出して、電話回線を介してあらかじめ設定されている警察や消防署などに自動的に通報するようなセキュリティシステムや防災システムが盛んになってきている。
【０００３】
このような警備システムを構築する場合、通常の電話システムに対して、警備情報を通報するための別個の通報装置を付加して、センサが検知した異常情報を別個に設置した該通報装置、専用の回線を介して、あらかじめ設定した接続先に通報するようにしている。例えば、特許文献１の特開平１１−１１２６９４号公報「ＩＳＤＮ回線中継装置」では、ＩＳＤＮ回線中継装置として、火災などの非常事態の発生時に、警察や消防署などの所定の通報先に通報メッセージを送出することが可能なアナログ回線用の通報装置を、ＩＳＤＮ回線に対しても接続することができるターミナルアダプタ機能を、通常の機能とは別個に備えるようにしている。
【特許文献１】特開平１１−１１２６９４号公報（第４−５頁）
【発明の開示】
【発明が解決しようとする課題】
【０００４】
しかしながら、前述のように、従来の電話システムを利用した警備システムの場合、センサ情報を通報するための特別な通報装置が必要であり、かつ、専用の回線も必要であり、さらに、平常時には使用しない回線インタフェースを必要とするため、装置コストや配線コスト上、負担が大きくなるという欠点があり、電話システムに警備システムを本格的に組み込んだ実用製品が普及しにくいという環境にあった。
【０００５】
また、個人情報の保護などの目的で、各人個別の机の引き出しの中等も含むより詳細な監視を行うためには、さらに配線が必要になってしまうという欠点があった。
【０００６】
そこで、本発明の目的は、多機能電話機のファンクションボタン機能を利用したセンサ情報の通報動作を行うとともに、ファンクションボタン用の配線をセンサ情報にも利用可能とすることにより、新たな専用の通報装置の設置や新たな配線を行うことなく、センサによる警備情報の監視が可能な警備システム、電話交換装置および多機能電話機を提供することにある。
【課題を解決するための手段】
【０００７】
前述の課題を解決するため、本発明による警備システム、電話交換装置および多機能電話機は、次のような特徴的な構成を採用している。
【０００８】
（１）特定の機能の実行を指示するためのファンクションボタンと警備用の情報を監視するセンサとを少なくとも備えた多機能電話機と、１ないし複数の前記多機能電話機と接続して、前記多機能電話機からの前記ファンクションボタンの操作状態の受信結果に基づく接続動作を行うとともに、当該ファンクションボタンの操作状態の受信結果を他の多機能電話機へ送信する動作を行い、かつ、前記多機能電話機からの前記センサの監視結果の受信結果に基づく通報動作を行う電話交換装置とからなる警備システムであって、前記多機能電話機は、前記ファンクションボタンと前記センサとを並列接続して、前記センサの異常検知結果の前記電話交換装置への送信を、前記ファンクションボタンの操作状態の送信と同一の動作によって行い、前記多機能電話機からの前記センサの異常検知結果の通報を受信した前記電話交換装置は、前記多機能電話機からの前記ファンクションボタンの操作状態の受信時と同一の動作によって、当該電話交換装置に接続されている他の多機能電話機に対して、前記多機能電話機からの前記センサの異常検知結果を送信する警備システム。
（２）上記（１）の警備システムにおいて、前記電話交換装置から前記多機能電話機の前記センサの異常検知結果を受信した他の前記多機能電話機は、前記電話交換装置から前記多機能電話機の前記ファンクションボタンの操作状態を受信した場合と同一の動作によって、受信した前記センサの異常検知結果を画面またはランプによって表示する警備システム。
（３）上記（１）または（２）の警備システムにおいて、前記電話交換装置は、前記多機能電話機からの前記センサの異常検知結果の通報を受信した際に、前記多機能電話機からの前記ファンクションボタンの操作状態の受信時と同一の動作によって、当該電話交換装置と接続しているセンサ表示板の表示内容を、受信した前記センサの異常検知結果によって更新する警備システム。
（４）上記（１）ないし（３）のいずれかの警備システムにおいて、前記多機能電話機は、前記ファンクションボタンとして複数のボタンを備えている場合、複数の前記ファンクションボタンのうち、任意に選択した１ないし複数のファンクションボタンそれぞれに前記センサを並列接続して備える警備システム。
（５）上記（４）の警備システムにおいて、前記多機能電話機は、前記センサを並列接続した１ないし複数の前記ファンクションボタンが、当該警備システムにおいては利用しないかあるいは利用頻度が少ないファンクションボタンである警備システム。
（６）上記（１）ないし（５）のいずれかの警備システムにおいて、前記電話交換装置は、前記多機能電話機に備えられた前記センサが監視する対象とする警備種別を、任意に指定して、当該センサと並列接続した前記ファンクションボタンに対応付けて登録するファンクションボタン設定テーブルを備えている警備システム。
（７）上記（６）の警備システムにおいて、前記電話交換装置に備えられる前記ファンクションボタン設定テーブルに、前記センサの警備種別を登録する他に、当該センサが異常状態を検知した際の警備用の表示方法および／または警備用の警備音出力方法を登録する警備システム。
（８）上記（１）ないし（７）のいずれかの警備システムにおいて、前記電話交換装置は、前記多機能電話機の前記センサの異常検知結果に応じた異常状態の発生を通報する通報用音声メッセージを作成して、あらかじめ設定されている外部の接続先に対して、作成した前記通報用音声メッセージを送信する警備システム。
（９）特定の機能の実行を指示するためのファンクションボタンに並列接続して警備用の情報を監視するセンサを少なくとも備えた１ないし複数の多機能電話機と接続して、前記多機能電話機からの前記ファンクションボタンの操作状態の受信結果に基づく接続動作を行うとともに、当該ファンクションボタンの操作状態の受信結果を他の多機能電話機へ送信する動作を行い、かつ、前記多機能電話機からの前記センサの監視結果の受信結果に基づく通報動作を行う電話交換装置であって、前記多機能電話機からの前記センサの異常検知結果の通報を受信した場合、前記多機能電話機からの前記ファンクションボタンの操作状態の受信時と同一の動作によって、当該電話交換装置に接続されている他の多機能電話機に対して、前記多機能電話機からの前記センサの異常検知結果を送信する電話交換装置。
（１０）上記（９）の電話交換装置において、前記多機能電話機からの前記センサの異常検知結果の通報を受信した際に、前記多機能電話機からの前記ファンクションボタンの操作状態の受信時と同一の動作によって、当該電話交換装置と接続しているセンサ表示板の表示内容を、受信した前記センサの異常検知結果によって更新する電話交換装置。
（１１）上記（９）または（１０）の電話交換装置において、前記多機能電話機が前記ファンクションボタンとして複数のボタンを備え、複数の前記ファンクションボタンのうち、任意に選択した１ないし複数のファンクションボタンそれぞれに並列接続して前記センサを複数備えている場合、前記多機能電話機からの前記センサの異常検知結果の通報を受信した際に、当該センサと並列接続した前記ファンクションボタンの受信時と同一の動作によって、受信した当該センサの異常検知結果を、当該電話交換装置に接続されている他の多機能電話機に対して送信する電話交換装置。
（１２）上記（９）ないし（１１）のいずれかの電話交換装置において、前記多機能電話機に備えられた前記センサが監視する対象とする警備種別を、任意に指定して、当該センサと並列接続した前記ファンクションボタンに対応付けて登録するファンクションボタン設定テーブルを備えている電話交換装置。
（１３）上記（１２）の電話交換装置において、前記ファンクションボタン設定テーブルに、前記センサの警備種別を登録する他に、当該センサが異常状態を検知した際の警備用の表示方法および／または警備用の警備音出力方法を登録する電話交換装置。
（１４）上記（９）ないし（１３）のいずれかの電話交換装置において、前記多機能電話機の前記センサの異常検知結果に応じた異常状態の発生を通報する通報用音声メッセージを作成して、あらかじめ設定されている外部の接続先に対して、作成した前記通報用音声メッセージを送信する電話交換装置。
（１５）特定の機能の実行を指示するためのファンクションボタンと警備用の情報を監視するセンサとを少なくとも備え、前記ファンクションボタンの操作状態と前記センサの監視結果とを送信する送信先の電話交換装置と接続する多機能電話機において、前記ファンクションボタンと前記センサとを並列接続して、前記センサの異常検知結果の前記電話交換装置への送信を、前記ファンクションボタンの操作状態の送信と同一の動作によって行う多機能電話機。
（１６）上記（１５）の多機能電話機において、前記電話交換装置から他の多機能電話機の前記センサの異常検知結果を受信した場合、前記電話交換装置から他の前記多機能電話機の前記ファンクションボタンの操作状態を受信した場合と同一の動作によって、受信した前記センサの異常検知結果を画面またはランプによって表示する多機能電話機。
（１７）上記（１５）または（１６）の多機能電話機において、前記ファンクションボタンとして複数のボタンを備えている場合、複数の前記ファンクションボタンのうち、任意に選択した１ないし複数のファンクションボタンそれぞれに前記センサを並列接続して備える警備システム。
（１８）上記（１７）の多機能電話機において、前記センサを並列接続した１ないし複数の前記ファンクションボタンが、当該警備システムにおいては利用しないかあるいは利用頻度が少ないファンクションボタンである多機能電話機。
【発明の効果】
【０００９】
本発明の警備システム、電話交換装置および多機能電話機によれば、多機能電話機のファンクションボタン機能を利用したセンサ情報の通報動作を行うとともに、ファンクションボタン用の配線（内線回線）をセンサ情報にも利用可能とすることにより、新たな通報装置を設置する必要もなく、また、新たな配線を行うこともなく、センサ監視結果を通報する仕組みを構築することができ、電話システムと警備システムとの連携システムを構築する際の装置コストや配線コストを大幅に低減することができる。
【００１０】
さらに、多機能電話機のファンクションボタン機能を利用することにより、多機能電話機に備えられた複数のファンクションボタンのうち、利用しないかまたは利用頻度が少ないファンクションボタンの個数分、場合によっては、最大、ファンクションボタンの設置個数分だけ、各種の警備種別に対応する複数のセンサを容易に割り付けることができ、監視精度が高い警備システムを安価に構築することもできる。
【００１１】
さらには、多機能電話機のファンクションボタンを接続する内線回線を警備情報の監視用センサの接続用としても利用することにより、多機能電話機が設置されている机の各自の引き出し等の監視も容易に行うことが可能となるので、各自が引き出し等に収納している書類や電子機器などに記録されている個人情報の第三者への漏洩防止に利用することも容易に可能になる。
【発明を実施するための最良の形態】
【００１２】
以下、本発明による警備システム、電話交換装置および多機能電話機の好適実施形態例について添付図を参照して説明する。
【００１３】
（実施例の構成）
図１は、本発明による警備システムのシステム構成の一例を示す構成図であり、警備システム１００は、多機能電話機のファンクションボタンのインタフェースを警備情報の通報用として利用するシステムであり、構内交換機などの電話交換装置１０に１ないし複数の多機能電話機１  ２０１〜多機能電話機Ｎ  ２０Ｎを接続する形態で構成されている。
【００１４】
図１において、一般に、多機能電話機１  ２０１〜多機能電話機Ｎ  ２０Ｎが１ないし複数内線接続された電話交換装置１０では、各多機能電話機１  ２０１〜多機能電話機Ｎ  ２０Ｎに備えられているファンクションボタン（すなわち特定の機能の実行を指示するボタン）の押下状態を受け取って、ファンクションボタンにより指示された接続動作を行うとともに、他の多機能電話機１  ２０１〜多機能電話機Ｎ  ２０Ｎの対応するＬＥＤランプを点灯したりＬＣＤ上に画面表示したりする動作を行っている。
【００１５】
例えば、各多機能電話機１  ２０１〜多機能電話機Ｎ  ２０ＮのファンクションボタンＡが外線Ａへの接続指示ボタンであれば、多機能電話機１  ２０１〜多機能電話機Ｎ  ２０Ｎのうち、いずれかの多機能電話機ｉ  ２０ｉのファンクションボタンＡが押下されると、電話交換装置１０は、外線Ａを多機能電話機ｉ  ２０ｉによる外線接続のための使用中状態に設定すると同時に、各多機能電話機１  ２０１〜多機能電話機Ｎ  ２０Ｎに備えられているＬＥＤランプのうち、外線Ａに対応するＬＥＤランプを点灯するように、各多機能電話機１  ２０１〜多機能電話機Ｎ  ２０Ｎを制御する指示を送信する。この結果、多機能電話機ｉ  ２０ｉのＬＥＤのみならず、他の各多機能電話機ｊ  ２０ｊ（ｊ≠ｉ）のＬＥＤも、外線Ａが使用中の旨を示す点灯状態に設定される。
【００１６】
したがって、この状態で、多機能電話機ｉ  ２０ｉ以外の他の多機能電話機ｊ  ２０ｊのユーザが外線接続したい場合は、外線Ａ以外の外線接続用のファンクションボタンを押下する必要があることを認識することができる。
【００１７】
かくのごとき電話交換装置１０は、内線接続している多機能電話機１  ２０１〜  Ｎ  ２０Ｎのラインを監視するライン監視部１１、構外の外線との接続インタフェースを提供する外線インタフェース１２、多機能電話機１  ２０１〜多機能電話機Ｎ  ２０Ｎからのファンクションボタンの押下情報やセンサからの警備情報を監視するセンサ監視部１３、各種情報を記憶するメモリ１４、各種メッセージの編集を行い、編集したメッセージの出力を行うメッセージ出力部１５、電話交換装置１０全体の動作を制御するＣＰＵ１６を少なくとも備えている。
【００１８】
メモリ１４には、例えば、多機能電話機１  ２０１〜多機能電話機Ｎ  ２０Ｎに関する接続情報を格納する内線接続テーブル１４ａ、多機能電話機１  ２０１〜多機能電話機Ｎ  ２０Ｎに備えた各ファンクションボタンに割り付けた機能または各センサに割り付けた機能を登録するファンクションボタン設定テーブル１４ｂ、多機能電話機１  ２０１〜多機能電話機Ｎ  ２０Ｎそれぞれのセンサ情報のセンサ監視部１３による監視結果を記憶するセンサ監視状態テーブル１４ｃ、電話交換装置１０の操作者（または警備担当者）に対して通知する各種メッセージを格納するメッセージテーブル１４ｄなどの情報を記憶している。
【００１９】
また、電話交換装置１０は、センサ監視部１３の各多機能電話機１  ２０１〜多機能電話機Ｎ  ２０Ｎに関するセンサの監視結果やファンクションボタンの押下状態をライン監視部１１を経由して表示するセンサ表示板３０を接続している。
【００２０】
図２に、ファンクションボタン設定テーブル１４ｂのテーブル構成の一例を示している。図２に示すように、ファンクションボタン設定テーブル１４ｂは、内線接続している多機能電話機１  ２０１〜多機能電話機Ｎ  ２０Ｎに備えられている各センサの警備種別と異常検知の際の警備表示・警備表示音を各ファンクションボタン１，２，３，…それぞれに対応して割り付けた様子を登録しているテーブルであり、電話交換装置１０の操作者（あるいは警備担当者）によって、任意の割り付け状態に設定することができる。
【００２１】
ここに、詳細は、図４において後述するが、多機能電話機１  ２０１〜多機能電話機Ｎ  ２０Ｎに備えられる各センサは、それぞれの多機能電話機に備えられている各ファンクションボタン１，２，３，…と同一のインタフェースとなるように、対応するファンクションボタン１，２，３，…と並列に接続されており、電話交換装置１０は、各多機能電話機１  ２０１〜多機能電話機Ｎ  ２０Ｎから、ファンクションボタン１，２，３，…の押下状態を受け取る場合とまったく同一またはほぼ同一のインタフェースで各センサのセンサ情報を受け取ることができる。
【００２２】
また、各多機能電話機１  ２０１〜多機能電話機Ｎ  ２０Ｎから受け取ったセンサ情報を、他の多機能電話機に対しても、各多機能電話機１  ２０１〜多機能電話機Ｎ  ２０Ｎのファンクションボタン１，２，３，…の押下状態を通報する場合とまったく同一またはほぼ同一のインタフェースで通報することができる。さらに、電話交換装置１０から各多機能電話機１  ２０１〜多機能電話機Ｎ  ２０Ｎのセンサ情報を受け取った他の多機能電話機も、ファンクションボタン１，２，３，…の押下状態を受け取る場合とまったく同一またはほぼ同一のインタフェースで、ＬＥＤやＬＣＤに表示することにより、ユーザに各多機能電話機１  ２０１〜多機能電話機Ｎ  ２０Ｎのセンサが検知した異常状態を通報することができる。
【００２３】
なお、各多機能電話機１  ２０１〜多機能電話機Ｎ  ２０Ｎにおいて各センサと並列に接続される各ファンクションボタン１，２，３，…は、警備システム１００として利用する場合、通常は、ファンクションボタンとしては利用しないまたは利用頻度が少ないファンクションボタンとして扱われ、電話交換装置１０の操作者（または警備担当者）は、当該ファンクションボタン番号に対応する位置に並列に取り付けたセンサについて、それぞれの監視対象とする警備種別を任意に指定して、そのセンサの警備種別や異常検知の際の警備表示方法・警備表示音出力方法をファンクションボタン設定テーブル１４ｂに登録する。
【００２４】
すなわち、本警備システム１００を構成するための多機能電話機としては、センサの警備種別を登録したファンクションボタン番号は、ファンクションボタン１，２，３，…としては利用しないかあるいは利用頻度が少ないものであり、ファンクションボタンの押下状態の出力端子として利用されるわけではなく、警備情報を監視した結果を示すセンサ情報の出力端子として利用される。図２に示す電話交換装置１０のファンクションボタン設定テーブル１４ｂにおいては、ファンクションボタン番号１４ｂ１ごとに、割り付けた警備種別１４ｂ２、表示種別１４ｂ３、音声種別１４ｂ４が登録されている。
【００２５】
例えば、図２において、ファンクションボタン１，２，３，…は、前述のように、警備システム１００として利用する場合、ファンクションボタンとしての利用はないかまたは利用頻度が少ないファンクションボタン番号であり、ファンクションボタン１に対応した警備種別１４ｂ２に関しては、ドアや窓や金庫などの重要な場所に取り付けられて、防犯用の警備を行う旨が登録され、異常を示す警備の表示種別１４ｂ３としては、あらかじめ定めた表示情報からなる侵入警報が、異常を示す警備の音声種別１４ｂ４としては、あらかじめ定めた音声情報からなる侵入警報音が、それぞれ登録されている。
【００２６】
また、ファンクションボタン２に対応した警備種別１４ｂ２に関しては、炊事場や給湯所などに取り付けられて、火災発生検知を行う旨が登録され、異常を示す警備の表示種別１４ｂ３としては、あらかじめ定めた表示情報からなる火災警報が、異常を示す警備の音声種別１４ｂ４としては、あらかじめ定めた音声情報からなる火災警報音が、それぞれ登録されている。また、ファンクションボタン３に対応した警備種別１４ｂ２に関しては、炊事場や給湯所や浴室などに取り付けられて、ガス漏れ検知を行う旨が登録され、異常を示す警備の表示種別１４ｂ３としては、あらかじめ定めた表示情報からなるガス警報が、異常を示す警備の音声種別１４ｂ４としては、あらかじめ定めた音声情報からなるガス警報音が、それぞれ登録されている。
【００２７】
また、図３に、センサ監視状態テーブル１４ｃのテーブル構成の一例を示している。図３に示すように、センサ監視状態テーブル１４ｃは、内線接続している多機能電話機１  ２０１〜多機能電話機Ｎ  ２０Ｎそれぞれに各ファンクションボタン１，２，３，…に対応して備えられているセンサ１，２，３，…のセンサ情報を、センサ監視部１３にて検知した監視結果を記憶するものであり、多機能電話機１  ２０１〜多機能電話機Ｎ  ２０Ｎそれぞれごとに対応付けて記憶している。図３に示すセンサ監視状態テーブル１４ｃにおいては、ファンクションボタン番号１４ｃ１ごとに対応して割り付けたセンサの監視結果を示すセンサ監視状態１４ｃ２が、多機能電話機１  ２０１，…，多機能電話機ｉ  ２０ｉ，…，多機能電話機Ｎ  ２０Ｎごとに記憶されている。
【００２８】
例えば、図３では、ファンクションボタン番号１４ｃ１ごとのセンサ監視状態１４ｃ２に示すように、図２に示すファンクションボタン１に対応した防犯警報については、多機能電話機１  ２０１，…，多機能電話機ｉ  ２０ｉ，…，多機能電話機Ｎ  ２０Ｎは、センサ監視結果が、それぞれ、異常、…、正常、…、正常であり、ファンクションボタン２に対応した火災警報については、多機能電話機１  ２０１，…，多機能電話機ｉ  ２０ｉ，…，多機能電話機Ｎ  ２０Ｎは、センサ監視結果が、それぞれ、正常、…、異常、…、正常であり、また、ファンクションボタン３に対応したガス警報については、多機能電話機１  ２０１，…，多機能電話機ｉ  ２０ｉ，…，多機能電話機Ｎ  ２０Ｎは、センサ監視結果が、それぞれ、正常、…、正常、…、正常である旨が記憶されている例を示している。
【００２９】
また、図４は、本発明による警備システムを構成する多機能電話機の一例を示すブロック構成図であり、図１の警備システム１００に示した多機能電話機１  ２０１，…，多機能電話機Ｎ  ２０Ｎのうち、いずれか１つの多機能電話機ｉ  ２０ｉのブロック構成の一例を示している。なお、かかるブロック構成は、多機能電話機１  ２０１，…，多機能電話機Ｎ  ２０Ｎのすべてについて、まったく同一またはほぼ同一に適用されるものである。図４のブロック構成に示すように、多機能電話機ｉ  ２０ｉは、図１の電話交換装置１０に接続する内線との接続インタフェースを提供する回線インタフェース２１、多機能電話機ｉ  ２０ｉに備えられている各ファンクションボタン２２または各センサ２３との接続を行うキーインタフェース２４、液晶画面に画面表示を行うＬＣＤ２５の表示制御やランプ表示となるＬＥＤ２６の点灯・滅灯の制御を行うＬＣＤ／ＬＥＤ表示監視部２７、多機能電話機ｉ  ２０ｉの全体の動作を制御するＣＰＵ２８を少なくとも備えている。
【００３０】
ここで、ファンクションボタン２２は、当該多機能電話機ｉ  ２０ｉのユーザの状況やユーザの操作結果を電話交換装置１０側へ通報するためのボタンであり、例えば、前述したように、外線接続を行うために対応するファンクションボタンの押下操作をしたり、あるいは、ユーザが在席しているか離席しているかを示す在席ボタンとして割り当てたファンショションボタンの押下操作をしたりするなど、特定の機能の実行を指示するボタンとして、必要に応じて、１ないし複数個備えられている。ファンクションボタン２２が複数個備えられている場合、それらのファンクションボタンのうち、１ないし複数個のファンクションボタンあるいはすべてのファンクションボタンそれぞれに並列に接続されるセンサを警備目的に応じて備えることができる。
【００３１】
在席ボタンとしてのファンクションボタンの場合、ユーザが在席した際に、当該ファンクションボタンを押下すると、在席中になったことを示す情報を電話交換装置１０側へ通報する。この通報を受け取った電話交換装置１０側では、当該多機能電話機ｉ  ２０ｉのユーザが在席中になった旨を、表示板(図１におけるセンサ表示板３０に相当する表示板)に表示するとともに、他の多機能電話機ｊ  ２０ｊ（ｊ≠ｉ、１≦ｊ≦Ｎ）にも通報する。他の多機能電話機ｊ  ２０ｊは、電話交換装置１０から、多機能電話機ｉ  ２０ｉのユーザが在席中になった旨の通知を受け取ると、ＬＣＤ／ＬＥＤ表示監視部２７を介してＬＣＤ２５やＬＥＤ２６に、当該多機能電話機ｉ  ２０ｉのユーザが在席している旨を表示する。
【００３２】
而して、電話交換装置１０から例えば多機能電話機ｉ  ２０ｉに対する着信があって、他の多機能電話機ｊ  ２０ｊが応答したような場合には、他の多機能電話機ｊ  ２０ｊのユーザは、多機能電話機ｉ  ２０ｉのユーザが在席中か否かをＬＣＤ２５やＬＥＤ２６を参照することによって確認し、在席中であれば、着信呼を、多機能電話機ｉ  ２０ｉへ転送する操作を行い、一方、不在時には、着信呼に対して不在である旨を通知することができる。
【００３３】
また、図４に示すように、キーインタフェース２４には、ファンクションボタン２２と並列にセンサ２３が接続されている。したがって、センサ２３が検出したセンサ情報を、ファンクションボタン２２の押下状態を通報する場合とまったく同じ回線（内線回線）を用いて、電話交換装置１０側に通報することができ、さらに、電話交換装置１０から他の多機能電話機ｊ  ２０ｊに対しても、ファンクションボタン２２の押下状態を通報する場合と同一の回線インタフェースを介して通報することができるように構成されている。ここで、センサ２３は、警備システムとしてセキュリティや防災用の情報を監視するために、前述したように、例えば、防犯用の侵入監視、防災用の火災監視や、ガス監視などの警備情報を監視する目的で設けるようにしても良いし、さらには、個人情報の保護を目的として、当該センサ２３を備えている多機能電話機ｉ  ２０ｉが設置されている机の引き出し内部の収納状況（書類や電子機器などへのアクセス状況）を監視するようにしても良い。
【００３４】
ファンクションボタン２２と並列にセンサ２３をキーインタフェース２４に接続することによって、多機能電話機ｉ  ２０ｉから電話交換装置１０へのセンサ情報（センサ２３が検出した監視結果）の通報は、ファンクションボタン２２の押下状態の通報とまったく同一またはほぼ同一の動作によって行うことが可能である。
【００３５】
さらに、かかるセンサ情報を受け取った電話交換装置１０においても、ファンクションボタン２２の押下状態の監視とまったく同一またはほぼ同一の動作で、センサ監視部１３によって、ファンクションボタン設定テーブル１４ｂを参照しながら、多機能電話機ｉ  ２０ｉからのセンサ情報を解析して、センサ表示板３０に、各多機能電話機ｉ  ２０ｉからの監視結果として表示することができるし、また、他の多機能電話機ｊ  ２０ｊ（ｊ≠ｉ、１≦ｊ≦Ｎ）への多機能電話機ｉ  ２０ｉの監視結果の通報動作も、当該多機能電話機ｉ  ２０ｉのファンクションボタン２２の押下状態の通報動作とまったく同一またはほぼ同一の動作で行うことができる。
【００３６】
多機能電話機ｉ  ２０ｉの監視結果の通報を受け取った他の各多機能電話機ｊ  ２０ｊは、多機能電話機ｉ  ２０ｉのファンクションボタン２２の押下状態の場合とまったく同一またはほぼ同一の動作で、その旨を、ＬＣＤ２５上に画面表示したり、ＬＥＤ２６にランプ表示したりすることによって、多機能電話機ｉ  ２０ｉの異常状態の発生の有無を、他の各多機能電話機ｊ  ２０ｊでも監視することができる。
【００３７】
なお、図４に示すように、ファンクションボタン２２の押下状態とセンサ２３のセンサ情報との出力は、論理和が取られた形態で、キーインタフェース２４を介してＣＰＵ２８に送信されることになっており、ファンクションボタン２２が押下されたか、あるいは、センサ２３が異常を検出したか、のいずれかの場合に、その旨をＣＰＵ２８にて検出することができる。
【００３８】
ここで、図２、図３にて前述したように、当該警備システム１００を構成している場合は、センサ２３と並列接続するファンクションボタン２２が、ファンクションボタンとしては利用されないものか、あるいは、利用頻度が少ないものかのいずれかを用いるようにすれば、当該ファンクションボタン２２またはセンサ２３から、キーインタフェース２４を介して、ＣＰＵ２８が、何らかの出力を受信した場合、通常、センサ２３からの異常検知の信号を受信したものとして扱うことができるようになる。
【００３９】
なお、多機能電話機ｉ  ２０ｉそれぞれには、通常、複数のファンクションボタンを備えるように構成されており、それぞれのファンクションボタンすべて（あるいは、それらのファンクションボタンのうち、利用頻度が少ないかまたは利用しないファンクションボタン）に対応して複数のセンサをそれぞれに並列に接続するように構成することができる。この結果、図２のファンクションボタン設定テーブル１４ｂに示すように、例えば、ファンクションボタン１，２，３，・・・それぞれに対応して、防犯用や防災用などの警備目的に応じたセンサを、必要に応じて、１ないし複数、多機能電話機ｉ  ２０ｉに装備することができる。
【００４０】
（実施例の動作の説明）
以上に説明したように、警備システム１００を構成する多機能電話機１  ２０１，…，多機能電話機Ｎ  ２０Ｎのうち、例えば、多機能電話機ｉ  ２０ｉのファンクションボタン１に並列接続されたセンサ１が異常状態を検知した際に、センサ１が検知した異常状態の発生を示すセンサ情報は、ファンクションボタン１の押下状態の表示の場合とまったく同一またはほぼ同一の動作で、ＬＣＤ／ＬＥＤ表示監視部２７を介してＬＣＤ２５やＬＥＤ２６に点灯表示または点滅表示されるとともに、ファンクションボタン１の押下状態を電話交換装置１０へ通報する場合とまったく同一またはほぼ同一のインタフェースを用いて、多機能電話機ｉ  ２０ｉのＣＰＵ２８から回線インタフェース２１を介して、電話交換装置１０へ通報される。
【００４１】
多機能電話機ｉ  ２０ｉからのセンサ１のセンサ情報をライン監視部１１を介して受け取った電話交換装置１０のＣＰＵ１６は、ファンクションボタン１の押下状態を受信した場合とまったく同一またはほぼ同一の動作で、センサ監視部１３を駆動することによって、ファンクションボタン設定テーブル１４ｂを参照して、ファンクションボタン１に対応するセンサ１のセンサ情報を受信したものと判断して、センサ監視状態テーブル１４ｃに、受信したセンサ１のセンサ情報を記憶させるとともに、センサ表示板３０および他の各多機能電話機ｊ  ２０ｊ（ｊ≠ｉ、１≦ｊ≦Ｎ）にも、多機能電話機ｉ  ２０ｉから受信したセンサ１のセンサ情報を表示させるために、ライン監視部１１を介して内線インタフェースで送信する。ここで、センサ表示板３０および他の各多機能電話機ｊ  ２０ｊ（ｊ≠ｉ、１≦ｊ≦Ｎ）に送信する情報として、多機能電話機ｉ  ２０ｉから受信したセンサ１のセンサ情報によって更新した後のセンサ監視状態テーブル１４ｃの情報を送信するようにしても良い。
【００４２】
さらには、場合によっては、多機能電話機ｉ  ２０ｉから受信したセンサ情報が示す異常状態の発生を、あらかじめ設定した外部の接続先（例えば、警察や消防署など）に通報するために、メッセージ出力部１５を駆動して、外部への通報用音声メッセージを作成し、外線インタフェース１２を介して、作成した通報用音声メッセージをあらかじめ設定した外部の接続先に送信する。
【００４３】
電話交換装置１０から多機能電話機ｉ  ２０ｉのセンサ１のセンサ情報またはセンサ監視状態テーブル１４ｃの情報を、センサ表示板３０が受信すると、多機能電話機ｉ  ２０ｉのファンクションボタン１の押下状態に関する受信の場合とまったく同一またはほぼ同一の動作で、受信したセンサ１のセンサ情報またはセンサ監視状態テーブル１４ｃの情報によって、表示内容を更新する。
【００４４】
電話交換装置１０から多機能電話機ｉ  ２０ｉのセンサ１のセンサ情報またはセンサ監視状態テーブル１４ｃの情報を、他の各多機能電話機ｊ  ２０ｊ（ｊ≠ｉ、１≦ｊ≦Ｎ）が回線インタフェース（図４の場合の回線インタフェース２１）を介して受信すると、多機能電話機ｉ  ２０ｉのファンクションボタン１の押下状態に関する受信の場合とまったく同一またはほぼ同一の動作で、ＬＣＤ／ＬＥＤ表示監視部を介してＬＣＤおよび／またはＬＥＤ（図４の場合のＬＣＤ／ＬＥＤ表示監視部２７を介してＬＣＤ２５および／またはＬＥＤ２６）を点灯または点滅させて、多機能電話機ｉ  ２０ｉにおいて異常を検知した旨を表示する。
【００４５】
この結果、多機能電話機ｉ  ２０ｉが検知した異常状態を、当該多機能電話機ｉ  ２０ｉのユーザのみならず、電話交換装置１０の操作者（または警備担当者）や他の各多機能電話機ｊ  ２０ｊ（ｊ≠ｉ、１≦ｊ≦Ｎ）のユーザも認識することが可能となる。さらには、場合によっては、あらかじめ設定されている外部の接続先（例えば、警察や消防署など）に対しても通報することができる。
【００４６】
なお、図２のファンクションボタン設定テーブル１４ｂの表示種別１４ｂ３、音声種別１４ｂ４に登録されている警備情報の出力方法に準拠して、警備表示や警備音出力を行うことができ、警備音を出力する際には、ブザーやアラーム音のみならず、外部の接続先に通報用音声メッセージを送信する場合と同様に、電話交換装置１０のメッセージ出力部１５によって作成した警備用音声メッセージとして出力することも可能である。
【００４７】
図４において前述したように、並列接続されたファンクションボタン１（図４の場合ファンクションボタン２２）の押下状態とセンサ（図４の場合センサ２３）のセンサ情報との出力は、論理和が取られた形態で、キーインタフェース２４を介してＣＰＵ２８に送信されるものであり、センサが異常を検知した場合のみならず、並列接続されたファンクションボタン１の押下操作がなされた際にも、前述した異常の通報動作とまったく同一またはほぼ同一の動作がなされる。したがって、前述したように、警備システム１００を構築する場合において、警備用の情報を監視する各センサと並列に接続される各ファンクションボタンは、通常は、ファンクションボタンとしては利用しないまたは利用頻度が少ないファンクションボタンであることが望ましい。あるいは、センサをファンクションボタンと並列接続した多機能電話機を、警備専用の多機能電話機として、警備情報を監視するセンサのみを有効とする防犯や防災専用の多機能電話機とするようにしても良い。
【００４８】
あるいは、並列接続されたファンクションボタン１（図４の場合ファンクションボタン２２）の押下状態とセンサ（図４の場合センサ２３）の異常検知情報との識別を可能とするために、例えば、図４のファンクションボタン２２あるいはセンサ２３のいずれか一方に負荷抵抗を直列接続して、ファンクションボタン２２、センサ２３の両者のキーインタフェース２４への出力レベルに差を設けるようにして、ファンクションボタン２２の押下操作かセンサ２３の異常状態検知のいずれかをＣＰＵ２８で識別可能なようにしても良い。かかる場合においては、電話交換装置１０への通報や他の多機能電話機への通報の際に、両者を識別する情報を新たに付加することにすれば良い。
【００４９】
（本発明の実施例における効果）
多機能電話機のファンクションボタンと同じインタフェースに警備用情報を監視するセンサを接続して、センサが検知した監視結果を、ファンクションボタンの押下状態の検出の場合とまったく同一またはほぼ同一の動作で、当該多機能電話機のＬＣＤやＬＥＤに表示するとともに、電話交換装置１０やセンサ表示板３０や他の多機能電話機のＬＣＤやＬＥＤに表示することにより、当該多機能電話機のセンサが検知した異常状態の発生を、電話交換装置１０の操作者（または警備担当者）や他の多機能電話機のユーザも認識することができる。
【００５０】
もって、例えば、オフィスのドアや窓や金庫などの重要な場所あるいは炊事場や給湯所などの火災やガス漏れが発生する危険性がある場所に設置したセンサからの監視結果を、例えば、或る１つの多機能電話機に接続しておくように構成するだけで、電話交換装置１０の操作者（または警備担当者）のみならず、オフィスに設置されている多数の多機能電話機の各ユーザによって、オフィスにおける盗難などの被害の発生の有無を監視することができ、防犯上や防災上、大きな効果を得ることができる。
【００５１】
すなわち、本実施例のような警備システム１００、電話交換装置１０および多機能電話機ｉ  ２０ｉによれば、多機能電話機ｉ  ２０ｉのファンクションボタン機能を利用したセンサ情報の通報動作を行うとともに、ファンクションボタン用の配線（内線回線）をセンサ情報にも利用可能とすることにより、新たな通報装置を設置する必要もなく、また、新たな配線を行うこともなく、センサ監視結果を通報する仕組みを構築することができ、電話システムと警備システムとの連携システムを構築する際の装置コストや配線コストを大幅に低減することができる。
【００５２】
さらに、多機能電話機ｉ  ２０ｉのファンクションボタン機能を利用することにより、多機能電話機ｉ  ２０ｉに備えられたファンクションボタンのうち、利用しないかまたは利用頻度が少ないファンクションボタンの個数分、場合によっては、最大、ファンクションボタンの設置個数分だけ、各種の警備種別に対応する複数のセンサを容易に割り付けることができ、監視精度が高い警備システムを安価に構築することもできる。
【００５３】
さらには、多機能電話機のファンクションボタンを接続する内線回線を警備情報の監視用のセンサの接続用としても利用することにより、多機能電話機が設置されている机の各自の引き出し等の監視も容易に行うことが可能となるので、各自が引き出し等に収納している書類や電子機器などに記録されている個人情報の第三者への漏洩防止に利用することも容易に可能になる。
【００５４】
（他の実施例）
以上の実施例においては、電話端末として、有線接続の多機能電話機の場合について説明したが、本発明は、かかる場合に限るものではなく、無線接続を行う無線電話子機に事業所用として備えられているファンクションボタン機能を利用して警備用のセンサ情報を通報する仕組みを構築するようにしても良い。
【００５５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００５６】
【図１】本発明による警備システムのシステム構成の一例を示す構成図である。
【図２】本発明による警備システムにおけるファンクションボタン設定テーブルのテーブル構成の一例を示すテーブル構成図である。
【図３】本発明による警備システムにおけるセンサ監視状態テーブルのテーブル構成の一例を示すテーブル構成図である。
【図４】本発明による警備システムを構成する多機能電話機の一例を示すブロック構成図である。
【符号の説明】
【００５７】
１０          電話交換装置
１１          ライン監視部
１２          外線インタフェース
１３          センサ監視部
１４          メモリ
１４ａ        内線接続テーブル
１４ｂ        ファンクションボタン設定テーブル
１４ｂ１       ファンクションボタン番号
１４ｂ２       割り付けた警備種別
１４ｂ３       表示種別
１４ｂ４       音声種別
１４ｃ        センサ監視状態テーブル
１４ｃ１       ファンクションボタン番号
１４ｃ２       センサ監視状態
１４ｄ        メッセージテーブル
１５          メッセージ出力部
１６、２８    ＣＰＵ
２０１         多機能電話機１
２０ｉ         多機能電話機ｉ
２０Ｎ         多機能電話機Ｎ
２１          回線インタフェース
２２          ファンクションボタン
２３          センサ
２４          キーインタフェース
２５          ＬＣＤ
２６          ＬＥＤ
２７          ＬＣＤ／ＬＥＤ表示監視部
３０          センサ表示板
１００        警備システム
【図１】
2008048323.tif 000003
【図２】
2008048323.tif 000004
【図３】
2008048323.tif 000005
【図４】
2008048323.tif 000006